(57)【要約】通信デバイスに対するアラートスタイルを設定する自動的なプロセスおよびシステムが提供される。スケジューリングプログラムは、１つ以上の行動を定義するために使用される。スケジューリングプログラムは、通信デバイス上で動作するか、あるいは遠隔的に動作され得る。アラートスタイルが選択され、特定の行動に関連付けられる。着信コールが行動の間に受信されたとき、通信デバイスは、選択されたアラートスタイルを使用する。オーバーライド条件またはルールが、通信デバイスによって使用されるアラートスタイルをさらに調整する。
2008537455.tif 000002
【特許請求の範囲】
【請求項１】
アラートを提供する方法であって、
スケジューラプロセス内の行動を受信することと、
アラートスタイルと該行動とを関連付けることと、
着信無線通信を受信することと、
該着信無線通信が該行動の間に受信されたかどうかを決定することと、
該着信無線通信が該行動の間に受信された場合に、該選択されたアラートスタイルを使用することと
を包含する、方法。
【請求項２】
前記着信無線通信が前記行動の間に受信されなかった場合に、異なるアラートスタイルを使用すること
をさらに包含する、請求項１に記載の方法。
【請求項３】
前記選択されたアラートスタイルは、アラートを一切提供しないアラートスタイルである、請求項１に記載の方法。
【請求項４】
前記選択されたアラートスタイルは、振動のみのアラートスタイルである、請求項１に記載の方法。
【請求項５】
前記行動の開始時または停止時にパディングし、該パディングを該行動の間に発生するものとして処理すること
をさらに包含する、請求項１に記載の方法。
【請求項６】
着信無線通信コールに応答する方法であって、
スケジューラプロセスから行動を受信することと、
該行動と関連付けられたアラートスタイルを検索することと、
着信コールの指示を受信することと、
該アラートスタイルにしたがって、アラートデバイスを活性化することと
を包含する、方法。
【請求項７】
前記コールは、前記行動の前後の所定の量のパディングされた時間内に受信される、請求項６に記載の方法。
【請求項８】
前記着信コールが受信される時間と、前記行動に対して定義された時間とを比較するステップ
をさらに含む、請求項６に記載の方法。
【請求項９】
前記行動に対して定義された時間の間に前記アラートスタイルを使用するように、前記アラートデバイスを設定するステップ
をさらに含む、請求項６に記載の方法。
【請求項１０】
オーバーライドルールのチェックに応答して、異なるアラートスタイルを適用するステップ
をさらに含む、請求項６に記載の方法。
【請求項１１】
前記アラートスタイルは、アラートデバイスが可聴アラート、可視アラート、または振動アラートを生成しないように設定される、請求項６に記載の方法。
【請求項１２】
前記アラートデバイスは、バイブレータ、スピーカ、およびランプからなるグループから選択される、請求項６に記載の方法。
【請求項１３】
コール転送電話番号を検索するステップであって、該コール転送電話番号もまた、前記行動に関連付けられている、ステップと、
前記着信コールを該転送電話番号に転送するステップと
をさらに含む、請求項６に記載の方法。
【請求項１４】
着信コールのアラートを提供するシステムであって、
プロセッサであって、
タイムスケジュール内に行動を格納するステップと、
アラートスタイルと該行動とを関連付けるステップと
を動作する、プロセッサと、
モバイル無線デバイスであって、
着信コールを受信するステップと、
該行動の間に、該アラートスタイルを使用するステップと
を動作する、モバイル無線デバイスと
を備える、システム。
【請求項１５】
前記プロセッサは、前記モバイル無線デバイス内に存在する、請求項１４に記載のシステム。
【請求項１６】
前記プロセッサは、前記モバイル無線デバイスから離れたコンピューティングデバイス内に存在する、請求項１４に記載のシステム。
【請求項１７】
スケジューリングプロセスであって、
タイムスケジュール内に行動を格納することと、
複数の着信コールのアラートスタイルを表示することと、
該複数の着信アラートスタイルのうちの１つと該行動とを関連付けることと
を包含する、プロセス。
【請求項１８】
前記タイムスケジュールを無線モバイルデバイス内のタイムスケジュールと同期化させるステップ
をさらに包含する、請求項１７に記載のプロセス。
【発明の詳細な説明】
【技術分野】
【０００１】
（本発明の分野)
本発明は、概して、着信コールのアラートを提供することに関し、より詳細には、無線通信デバイスに対し、着信コールのアラートを提供することに関する。
【背景技術】
【０００２】
（関連技術の記載）
無線通信デバイスは、幅広く使用されており、現代生活の欠かせない一面になっている。無線通信デバイス、例えば、ページャ、モバイル電話、テキストページャ、ＰＤＡ（パーソナルデータアシスタント）は、仕事および個人活動のために使用されており、家族および友人とコンタクトを取るための方法としても使用されている。この点から、個人が１つよりも多くの無線デバイスを所有することは（あるいは、同時に複数の無線デバイスを携行することさえも）珍しくない。例えば、ある人は、個人用モバイル電話、仕事用モバイル電話、ページャ、およびインスタントメッセージングテキストデバイスを有し得る。ある人が企画している時刻と活動に依存して、ある人がどの（１つまたは複数の）モバイルデバイスを携行するかが決定され得る。無線デバイスの各々は、典型的には、代替的な着信コールのアラートを提供するように設定することができる。ほとんどのデバイスは、スピーカを有しており、ボリュームとオプションの設定可能な特定のトーンとを使用して可聴着信音を提供する。その他のデバイスは、バイブレータを有しており、上記バイブレータは、着信コールまたは着信メッセージがあったときに、デバイスを物理的に振動させる。装着時、これらのデバイスは、秩序を乱すような可聴着信音のアラートを生成することなしに、装着者に対し、着信コールを知らせる。その他のデバイスは、着信コールに応答して、ランプを点滅または照明させ得る。設定を適切にセットすることにより、ユーザは、着信コールまたは着信メッセージに応答して生成されるアラートを一切有さないように無線デバイスをセットすること、静かに振動または点滅させるように無線デバイスをセットすること、あるいは許容可能なボリュームおよびトーンで可聴着信音を生成するように無線デバイスをセットすることができる。ほとんどの場合、ユーザは、メニュー設定をセットすることにより、あるいはデバイス上の１つ以上のボタンを押すことにより、無線デバイスを設定する。この不便な手動設定プロセスは、いくつかのステップを包含し得、各無線デバイスに対して異なり得る。
【０００３】
モバイル無線デバイスは至る所に存在するが、それらの使用に関する道徳観およびエチケットは、依然として発展途上である。例えば、オペラまたは演劇の最中に電話が鳴るようにすることは、無作法なこととして、ほぼ普遍的に受け止められており、一般には、それらの場では、電話に応答することさえも容認されていない。仕事もまた、モバイル無線デバイスの使用に関し、フォーマルおよびインフォーマルな「ルール」を有する。例えば、中間管理職は、彼または彼女の会合の最中に、デバイスが可聴着信音を鳴らさないようにし得るが、従業員が顧客からの緊急コールを受信することは容認し得る。人々がある活動から別の活動に移行する際、彼らは、異なるスタイルの着信コールのアラートを提供するために、しばしばデバイスを再設定する必要がある。例えば、ある人が会合に出席するとき、彼らは、全てのデバイスを、静かなアラート（例えば、振動アラート)のみを有するように設定する必要があり得る。彼らがデバイスを設定し忘れた場合、またはデバイスを間違って設定した場合、デバイスは、気を散らせ当惑を招く大音量のリング音で、アラートを発し得る。さらに、会合が終わると、ユーザは、より迫力のある着信コールのアラートを有するように、デバイスを再設定する必要がある。そうしないと、不在着信につながり得る。したがって、モバイル通信デバイスのユーザが、ユーザの活動にしたがって、アラートスタイルをより容易に変更することが可能でなければならない。
【発明の開示】
【課題を解決するための手段】
【０００４】
（概要）
簡単に言って、本発明は、通信デバイスのアラートスタイルをセットするための自動的なプロセスおよびシステムを提供する。１つ以上の活動を定義するために、スケジューリングプログラムが使用される。スケジューリングプログラムは、通信デバイス上で動作するか、遠隔的に動作され得る。アラートスタイルは、特定の活動によって選択され、特定の活動に関連付けられる。着信コールが活動中に受信されると、通信デバイスは、選択されたスタイルのアラートを使用する。オーバーライド条件またはオーバーライドルールが、通信デバイスによって使用されるアラートスタイルをさらに調整し得る。
【０００５】
さらに特定の例において、無線モバイルデバイスは、アラートデバイスのセットを有する。アラートデバイスは、オーディオスピーカ、バイブレータ、またはランプのセットを含み得る。日常のスケジュールを定義するために、スケジューラプログラムが使用され、スケジュールリングプロセスが、モバイル無線デバイス上で動作する。モバイル通信デバイスは、スケジューラプログラムと協働し、ユーザが着信コールのアラートを容易かつ柔軟に制御することを可能にする。この点から、１つ以上の定義された行動によって、そして１つ以上の定義された行動に関連して、特定のアラートスタイルが選択される。アラートスタイルは、アラートを一切提供しないことを含み得、あるいは可聴アラート、振動アラート、または点滅アラートを含み得る。着信コールがモバイル無線デバイスにおいて受信されるとき、ならびに定義された行動の間にコールが受信されるとき、モバイルデバイスは、上記行動に関連するアラートスタイルを使用する。このようにして、モバイル電話は、所定の行動の間に、特定のアラートスタイルを使用するように、自動的に設定される。ユーザが一日を過ごすとき、モバイルデバイスは、ユーザのスケジュールに定義されている行動にしたがって、アラートスタイルを調整する。
【０００６】
本発明のこれらの特徴およびその他の特徴は、以下の記載を読むことによって理解され得、特に添付の請求の範囲において指摘された手段および組み合わせを用いることにより、実現され得る。
【発明を実施するための最良の形態】
【０００７】
図面は、本明細書の一部をなし、本発明の例示的な実施形態を含んでいる。例示的な実施形態は、様々な形態で具現化され得る。一部の例において、本発明の理解を容易にするために、本発明の様々な局面が、誇張されたり、拡大されたりしていることが、理解されるべきである。
【０００８】
（詳細な記載）
本発明の例の詳細な記載が、本明細書に提供される。しかしながら、本発明は、様々な形態で実証され得ることが、理解されるべきである。したがって、本明細書に開示された特定の詳細は、限定的であると解釈されるべきではなく、むしろ、事実上全ての複雑なシステム、構造、または方法において、本発明をいかに用いるかについて、当業者に教示するための代表的な基準を示していると解釈されるべきである。
【０００９】
ここで図１を参照すると、通信デバイス１０が図示されている。通信デバイス１０は、モバイル電話１２の形態であり、これは、無線通信を送信および受信するように構成されている。通信デバイス１０は、モバイル電話１２として図示されているが、その他の通信デバイスもまた、使用され得ることに留意されたい。例えば、通信デバイスは、ページャ、ウォーキートーキー、パーソナルデータアシスタント、またはその他の携帯型の通信デバイスであり得る。モバイルデバイス１２は、ユーザに情報を提示するためのディスプレイ１４を含んでいる。そのような情報は、テキスト、グラフィック、画像、および動画を含み得る。ディスプレイ１４はまた、モバイル電話１２上のその他の入力デバイスと協働し、ユーザがモバイル電話１２の設定をセットすることを補助する。モバイル電話１２はまた、キーパッド１６を含んでおり、ユーザがキーを押すことによって、電話を制御し、電話に命令することを可能にする。キーパッド１６は、数字キー、特定機能キー、ソフトウェア定義キー、ならびにスライダー入力、トグル入力、ジョイスティック入力のような、その他の制御を含み得る。
【００１０】
モバイル電話１２はまた、コール処理およびアプリケーション処理の両方のサポートを提供するために、プロセッサ２５を含んでいる。単一のプロセッサ２５が図示されているが、プロセッサ２５は、実際には、協働し合う複数のプロセッサまたは複数の回路のセットとして、配置され得ることに留意されたい。プロセッサ２５は、関連付けられたメモリ２４を含んでおり、上記メモリには、データ、アプリケーション、および設定のセッティングが、格納され得る。メモリ２４は、ＲＡＭ、ＲＯＭ、フラッシュ、メモリカード、またはその他のタイプの揮発性または不揮発性のメモリ構造を含み得ることに、留意されたい。モバイル電話１２はまた、無線周波数伝送を受信および送信するための、アンテナ２４を含んでいる。着信コールが受信されると、無線周波数通信がアンテナ２４で受信され、ラジオ（図示されず）が、無線周波数通信を受信して、復調する。ラジオは、プロセッサ２５に、着信コールが受信されたことを知らせる。着信コールは、例えば、着信音声通信、テキストメッセージ、動画メッセージ、またはページであり得る。図１は、モバイル通信デバイスの簡略ブロック図であり、議論を簡単にするために、モバイル電話の全てのコンポーネントおよびモジュールを図示しているわけではないことが理解されるべきである。しかしながら、モバイル通信デバイスの設計および構成は、周知であるので、詳細には議論されない。
【００１１】
モバイル電話１２は、スケジューラプログラムを動作させ、上記スケジューラプログラムは、ユーザがスケジュールまたは時間フォーマットで行動を定義することを可能にする。例えば、典型的なスケジューラプロセスは、ユーザが日ごとに、週ごとに、月ごとにカレンダー状のフォーマットでスケジュールを入力することを可能にする。このようにして、ユーザは、会合、予約、およびその他のイベントまたは行動の開始時間と終了時間とを入力し得る。スケジューラプログラムは、デスクトップコンピュータ、ポータブルデータアシスタント、および携帯電話において、幅広く使用されている。スケジューラプログラムの一般的な設計と実装は周知であるので、詳細には議論されない。
【００１２】
モバイル通信デバイスは、スケジューラプログラムと協働し、ユーザが着信コールのアラートを容易かつ柔軟に制御することを可能にする。スケジューラプログラムを使用して行動２７を定義するプロセスにおいて、ユーザは、アラートスタイル２８を選択し、特定の行動に関連付ける。ほとんどのモバイル通信デバイスにおいて、着信コールが受信されると、上記デバイスは、ユーザに対し、コールまたはメッセージが受信されたことを知らせ得る。しばしば、モバイルデバイスは、着信音を発したり、振動したり、あるいはランプのセットを点滅したりし得る。またあるときには、ユーザは、一切のアラートを提供しないように、デバイスをセットし得る。これは、例えば、ユーザが着信コールに煩わされたくない場合に、便利である。この利用可能なアラートスタイルのタイプは、どのようなアラートデバイスがモバイル電話１２に提供されているかに依存して変動し得る。例えば、モバイルデバイス１２が振動デバイス１８を有している場合、アラートスタイル２８は、振動モード、ならびに最初に振動してその後に着信音を発するモード（ｖｉｂｒａｔｅ−ｆｉｒｓｔ−ａｎｄ−ｔｈｅｎ−ｒｉｎｇ）を含み得る。このようにすることにより、ユーザが設定数の振動に応答しない場合、電話は、可聴着信音のアラートを発し得る。また、モバイル電話１２は、可聴着信音を提供するために、スピーカ２２を含み得る。その他の可聴アラートスタイルは、ソフトな着信音、大音量の着信音、またはだんだん大きくなっていく着信音をセットし得る。一部のモバイル電話は、ユーザがカスタムの着信音をダウンロードして再生することにより、追加的なアラートスタイルが特定の着信音を選択することを可能にし得る。別の実施形態において、モバイル電話１２は、ランプまたはランプのセット２０を有し得、上記ランプまたはランプのセットは、着信コールがあると活性化され得る。モバイル電話がランプまたはランプのセットを有している場合、アラートスタイルは、ライトオン、ライトオフ、またはライト点滅を含み得る。
【００１３】
行動「会合２」がスケジュールディスプレイ領域２７で選択された、モバイル電話１２が示されている。示されてはいないが、「会合２」は、開始時間および終了時間を有しており、会合に関するその他の情報をも含み得る。ユーザは、アラートスタイル領域２９に提示された利用可能なアラートスタイルのセットを有している。ここで、ユーザは「なし（ｎｏｎｅ）」のアラートスタイルを選択しており、「なし」のアラートスタイルを「会合２」に関連付けている。このようにすることにより、「会合２」の間に着信コールが受信された場合に、モバイル電話１２は、着信音を発さず、バイブレータ１８を振動させ、ライト２０を一切点滅させない。追加的な柔軟性として、モバイル電話１２は、オプション３１が、関連付けられた行動に対して選択されたアラートスタイルに対して設定されることを可能にする。例えば、ユーザは、「Ｖメール」オプションを選択している。このオプションは、着信コール呼び出し人をボイスメールシステムへと直ちに案内し得るので、呼び出し人は、ボイスメールシステムに入る前に、通常の呼び出し音を聞く必要がなくなる。
【００１４】
このようにすることにより、モバイルデバイス１２は、有利にも、所定の行動の間に、特定のアラートスタイルを使用しないように設定される。このようにして、ユーザは、呼び出し機能（ｒｉｎｇｅｒ）をオンまたはオフにすること、ボリュームを調整することを覚える必要はなく、ユーザが彼または彼女の日常生活を送る際にアラート設定を操作する必要もない。さらなる例において、モバイル電話１２におけるスケジューラは、ユーザのデスクトップまたはネットワークに基づくスケジュールと同期化するように設定される。そのような同期化設定は、無線によって、または有線接続を介することによって、行なわれ得る。このようにして、ユーザの電子カレンダーは、モバイル電話のスケジューラにインポートされ、モバイル電話のスケジューラにおいて行動をセットするために使用され得る。
【００１５】
ここで図２を参照すると、アラートを提供する方法３０が図示されている。方法３０は、無線通信デバイス上で動作し、ユーザが特定のアラートスタイルを選択し、特定のアラートスタイルとスケジュールされた行動とを関連付けることを可能にする。方法３０において、スケジューラプロセスは、ブロック３１に示されているような行動をスケジュールするように動作する。スケジューラプロセスは、モバイル通信デバイス上で動作されるか、あるいは遠隔的に（例えば、デスクトップコンピュータ上で）動作され得る。行動は、例えば、会合、休暇時間、自由時間、睡眠時間、または通勤時間であり得る。その他のタイプのスケジュールもまた、スケジューラにプログラムされ得ることが理解されるべきである。スケジューラがユーザに対して定義されたデフォルトのスケジュールを有し得ることもまた理解されるべきである。例えば、ユーザ特有のデフォルト設定がスケジューラによって使用され、特定のユーザに対し、午前８時から午後５時、月曜日から金曜日を仕事の時間として定義し、その他全ての時間を個人的な時間として定義し得る。そして、上記方法は、デフォルトのアラートスタイルを有しており、上記アラートスタイルは、これらの幅広いカテゴリーに適用される。そして、追加的な行動がスケジュールされ、これらの追加的な行動は、方法３０において活性化されている選択および関連付けにしたがって、デフォルトのアラートスタイルを改変する。行動はユーザから手動で受信されること、あるいはその他のコンピュータまたはネットワークリソースからインポートされ得ることもまた、理解されるべきである。例えば、ユーザは、カレンダーまたはスケジュールの行動を、デスクトップコンピュータシステムまたはネットワークリソースからインポートし得る。行動をモバイル無線デバイスにインポートすると、モバイル電話上のスケジューラは、インポートされた異なるタイプの行動に、特定のデフォルトを適用し得る。例えば、インポートされた会合の全ては、デフォルトのアラートスタイルが付随されており、あるいはさらに高度な装置においては、特定のアラートスタイルは、特定の個人を有する任意の会合に対してセットされ得る。
【００１６】
ブロック３３に示されているように、方法３０は、アラートスタイルと行動とを関連付けている。この関連付けは、ユーザから受信された入力にしたがって行なわれるか、あるいは行動の特定に依存して自動的に指定され得る。利用可能なアラートスタイルのタイプは、モバイル電話の物理的構成に依存し得る。また、アラートスタイルは、「アラートなし（ｎｏ  ａｌｅｒｔ）」を含み得、上記電話は、着信コールがあってもアラートを一切提供しない。別の例において、アラートスタイルは、着信コールおよびその他のメッセージの受信に基づいて、電話が振動し得るとき、電話が振動し得る時間、使用される着信音のタイプ、着信音のボリュームのセッティング方法、および電話上のランプを点滅させるかどうかを調整することができる。
【００１７】
ブロック３５に示されているように、無線モバイルデバイスは、着信コールを受信し得る。この着信コールは、例えば、ボイスコール、テキストメッセージ、画像または動画のメッセージ、あるいはページであり得る。着信コールを受信すると、ブロック３７に示されているように、方法３０は、スケジューラにおける行動のセットの間にコールが受信されたかどうかを質問する。方法３０はまた、ユーザがオプションまたはオーバーライド命令をセットすることをも可能にする。それにより、プロセス３０は、なんらかのオプションまたはオーバーライドが、呼び出し人の行動または識別情報に適用されるかどうかをチェックし得る。ある行動の間に着信コールが受信される場合、上記行動は、アラートスタイルに関連付けられる。その後、ブロック３９に示されているように、選択されたアラートスタイルが使用され、ユーザに対し、アラートを生成する。ブロック４１に示されているように、スケジュールされた時間外に着信コールが受信される場合、あるいはオーバーライドまたはオプションが適用される場合に、異なるアラートスタイルが生成され得る。ある例においては、異なるアラートスタイルが、デフォルトのアラートスタイルであり得る。
【００１８】
ここで図３を参照すると、アラートを提供する別の方法５０が図示されている。方法５０は、ブロック５２に示されているように、通信デバイス上でスケジューリングプロセスを実行することを含んでいる。ブロック５４において、グローバルアラートセッティングが、定義され得る。グローバルアラートセッティングは、ローカルモバイルデバイスを使用してセットされるか、ネットワークまたはその他の遠隔リソースから検索され得る。ブロック５６に示されているように、スケジューリングプロセスは、特定の行動を選択するか、セットするか、あるいは定義する。別の例において、行動は、それらのタイプまたはその他の特定に基づいて、選択され得る。このようにして、会合の全ては、特定のアラートスタイルがセットされる一方で、昼食の予約は、異なるアラートスタイルがセットされる。ブロック５７および５８に示されているように、アラートスタイルは、特定の行動または行動のセットから選択され、特定の行動または行動のセットに関連付けられ得る。ブロック６０に示されているように、さらに進んだプロセスにおいて、上記方法は、その他のオプションまたはオーバーライド条件をセットし得る。例えば、方法は、特定の行動に対して、パディング時間（ｐａｄｄｉｎｇ  ｔｉｍｅ）を提供し得る。パディング時間は、行動の前後の時間であり、移動時間または行動の超過を参酌するための時間である。このようにして、選択されたアラートスタイルは、行動が開始する前に短い時間だけ作動するようにセットされるか、あるいは行動が終了した後に短い時間だけ延長し得る。
【００１９】
上記方法はまた、オーバーライド条件をも可能にし得る。例えば、ユーザは、モバイル電話が、特定の行動の間に一切のアラートを有さないことを所望し得る。しかしながら、ユーザは、彼または彼女の管理者がコールする場合、電話が少なくとも振動することを常に所望し得る。上記方法は、オーバーライド条件をセットすることにより、行動およびアラートに、望ましい柔軟性を提供する。方法５０は、モバイル無線デバイス上で動作するか、あるいはプロセスの一部が、遠隔デバイス（例えば、デスクトップコンピュータまたはネットワークリソース）の上で動作され得る。遠隔動作は、例えば、管理者のスケジュールにおいて会合をセットし、その会合に対してアラートスタイルを関連付けることを補助することを可能にし得る。さらに、管理者が彼または彼女のモバイル電話をネットワークカレンダーと同期化する次の時点において、会合およびそれに関連付けられたアラートスタイルは、管理者のモバイル電話内に定義され得る。
【００２０】
最後に、ブロック６２に示されているように、特定の無線デバイスが選択される。選択された無線デバイスは、行動を定義するために使用される無線デバイスであるので、しばしばこれは、デフォルトのデバイスであり得る。別の例では、別のコンピューティングデバイスまたは通信デバイス上で、行動が定義され、アラートが選択され得る。デバイスは、例えば、デスクトップシステム、異なるモバイル電話、またはアシスタントのコンピューティングシステムであり得る。遠隔デバイスを使用して関連するアラートスタイルを選択すると、遠隔デバイスは、ブロック６２を使用して、選択されたアラートスタイルにしたがって、特定のモバイルデバイスのうちのどれが、アップデートされるべきであるかを定義する。例えば、ユーザは、仕事用モバイル電話、個人用モバイル電話、およびページャを有し得る。ブロック６２を使用することにより、上記方法は、ユーザが利用可能なデバイスのうちのいずれかを選択して、設定することを可能にする。このようにして、ユーザは、アラートスタイルを選択し、上記アラートスタイルを、彼または彼女のモバイルデバイスに一切適用しないか、彼または彼女のモバイルデバイスのうち選択されたものに適用するか、彼または彼女のモバイルデバイスの全てに適用し得る。
【００２１】
ここで図４を参照すると、アラートを提供する方法７５が図示されている。方法７５において、例えばモバイル電話のようなモバイル無線デバイスは、ブロック７７に示されているように、第１のアラートスタイルでアラートを発するように設定される。例えば、第１のアラートスタイルは、大音量の標準的な電話着信音であり得る。無線モバイルデバイスは、スケジュールプロセスを動作させ、上記スケジュールプロセスは、スケジュールされたイベントの開始時に、イベントがいまにも開始しそうであるという通知を生成する。ブロック７９に示されているように、プロセス７５は、スケジュールされたイベントの通知を受信する。ブロック８１に示されているように、アラートスタイルは、予め定義され、スケジュールされたイベントに関連付けられ、方法７５は、そのアラートスタイルを検索する。オプションとして、ブロック８３に示されているように、プロセス７５は、追加的なルールを適用し得、これらは、スケジュールされたイベントに関連付けられたアラートスタイルを調整し得る。例えば、モバイル無線デバイスは、呼び出し人の識別情報を、着信コールと共に受信し得る。呼び出し側が、モバイルデバイス上のコンタクトデータまたはその他のプロフィールデータに関連付けられている場合、ルールは、識別されたユーザのプロフィールをチェックし得る。このようにして、アラートスタイルは、特定の呼び出し人にしたがって、調整され得る。そして、ブロック８５に示されているように、プロセス７５は、既にアラートスタイルと関連付けられているアラートを使用するように、無線モバイルデバイスを設定し得る。勿論、アラートスタイルは、任意のルールまたはオーバーライドにしたがって、適切に調整され得る。行動の間に無線モバイルデバイスが着信コールを受信すると、無線デバイスは、構成されたアラートスタイルを使用して、ユーザにアラートを発する。ブロック８７に示されているように、スケジュールされたイベントまたは行動の最後に、無線モバイルデバイスは、そのデフォルトのスタイルである第１のアラートスタイルに復旧する。
【００２２】
ここで図５を参照すると、アラートスタイルを選択して割り当てる方法が図示されている。方法１００は、例えば無線モバイル電話のような無線通信デバイスの上で動作されるか、その他のコンピュータまたはネットワーク設備の上で動作され得る。方法１００は、無線モバイル通信デバイス上で動作するものとして記載されるが、その他のデバイスもまた使用され得ることに留意されたい。方法１００は、情報および選択基準をユーザに提示するためのディスプレイ１０２を有している。ディスプレイ１０２は、スケジュールセクション１０４を含んでおり、上記スケジュールセクションは、日ごと、週ごと、または月ごとのスケジュールを、ユーザに提示する。図５に図示されているように、スケジュールセクション１０４は、午前８時から午後８時半までの「本日の」スケジュールを含んでいる。その他の時間フレームおよび提示スタイルが、使用され得ることが理解されるべきである。スケジュール部分１０４は、スケジュールされた行動を示しているのみならず、ユーザが既存の行動を編集すること、ならびに新しい行動をスケジュール部分に追加することを可能にする。一旦スケジュール行動が定義されると（例えば、選択された行動１０６のように）、特定のアラートスタイルが選択され、選択された行動１０６に関連付けられ得る。ディスプレイ領域１０８に示されているように、選択された行動１０６に対し、デフォルトのアラートスタイルが存在し得る。ユーザがデフォルトのアラートスタイルを変更したいと所望する場合、ユーザは、選択領域１１１と相互作用し、デフォルトのアラートスタイルを変更し得る。例えば、アラートスタイル「なし」１１３が、選択されている。このようにして、「なし」のアラートスタイルが、「医者の予約（ｄｏｃｔｏｒ  ａｐｐｔ）」行動に関連付けられている。
【００２３】
また、追加的なオプションがセットされ得る。アラートスタイルオプション領域１１５において、ユーザは、いずれかの呼び出し人に対し、ボイスメールを直ちに送信し、メッセージ２が再生されるべきであることを指示される。このようにして、任意の呼び出し人は、ボイスメールを転送される前に、通常の回数の着信音を待つ必要がなくなり得る。また、アラートスタイルオプション領域１１７において、スケジュールされた行動は、追加的な１０分を有しており、上記追加時間は、スケジュールされた行動の選択された停止時間に追加される。このようにして、選択されたアラートスタイル「なし」は、スケジュールされたイベント１０６ならびに追加的な１０分の持続時間に適用される。より詳細には、「なし」のアラートスタイルは、午前１１時から午後１時１０分までに適用され得る。スケジュールされた行動の開始時または終了時に「パッド」時間を許すことにより、ユーザは、行動がいくぶん早く開始するとき、あるいはスケジュールされた時間よりもいくぶん延長するときでさえも、自身を持ってアラートスタイルをセットすることができる。図５に示されているように、「ソフトな着信音１」のアラートスタイルが、デフォルトのアラートスタイルであり得る。その他のなんらかのルールがアラートスタイルを変更させない限り、午前１１時の直前にコールが入ってくると、モバイルデバイスのスピーカは、ソフトなボリュームの着信音１を発し得る。午前１１時から午後１時１０分までの間にコールが入ってくる場合、電話は、オーディオのアラート、振動のアラート、または光のアラートを、一切提供せず、呼び出し人に対し、ボイスメールを直ちに送信し得、呼び出し人は、メッセージ２を聞き得る。午後１時１０分の直後にコールが入ってきて、その他のルールが一切提供されていない場合、この場合もまた、モバイル電話は、ソフトな着信音１のアラートを発し得る。
【００２４】
ここで図６を参照すると、アラートスタイルを選択して割り当てる別の方法１２５が図示されている。方法１２５は、ディスプレイ１２７を含んでおり、上記ディスプレイは、スケジューリング部分１２９を有している。特定の行動１３１が選択されている。領域１３３に図示されているように、そのとき有効なデフォルトのアラートスタイルは、「大音量の着信音２」である。アラートスタイル領域１３５において、ユーザは、「Ｊｕｌｉａｎｎｅのゲーム」の間に適用するための、超大音量１３８のアラートスタイルを選択している。また、アラートスタイルオプション領域１４０に示されているように、超大音量の着信音は、午後７時の開始時間の前のはじめの１０分に使用され得るが、午後８時半には終了し得る。オプション領域１４３に示されているように、ユーザが所定の回数の着信音で電話に応答しない場合に、呼び出し人は、メッセージ１を聞き得る。図示されているように、午後６時５０分の直前に到着するコールは、「大音量の着信音２」のアラートを引き起こし得る。午後６時５０分から午後８時半までの間に、着信コールは、「超大音量」１３８のアラートスタイルを生成し得る。ユーザが設定数の着信音で電話に応答しない場合、呼び出し人は、ボイスメッセージシステムに入る前に、「メッセージ１」を聞き得る。午後８時半の後、別のルールが適用されない限り、着信コールは、デフォルトの「大音量の着信音２」のアラートスタイルに再び戻り得る。
【００２５】
ここで図７を参照すると、アラートスタイルを選択して割り当てる別の方法１５０が図示されている。方法１５０は、上述の方法１００に類似しているので、詳細には議論されない。方法１５０は、ディスプレイ１５２を有しており、上記ディスプレイは、スケジュール領域１５４を有している。スケジュール領域１５４において、特定のスケジュールされた行動１５６が、選択されている。デフォルトのアラートスタイル領域１５８に示されているように、ソフトな着信音１が、デフォルトのアラートスタイルである。アラートスタイル領域１６１において、振動のみ１６３のアラートスタイルが、選択されている。領域１６５に示されているように、デフォルトのボイスメールメッセージが使用され、領域１６７は、上記スタイルが、上記行動に関するリストに記載された開始時間から、リストに記載された終了時間までに、適用されることを示している。領域１６５はまた、着信コールを転送する電話番号をユーザがセットすることをも可能にする。このようにして、現状の行動にしたがって、モバイルデバイスのコール転送動作が、セットされ得る。
【００２６】
方法１５０はまた、その他のオプションをも含む。例えば、方法１５０は、スケジュールプロセスに対してルールをセットし、領域１７２に示されているように、上記スケジュールプロセスは、このアラートプロフィールを、会合の唯一出席者である「Ｂｉｌｌ」と一緒の全ての行動に適用する。このようにして、会合の日付および時間に関わらず、「Ｂｉｌｌ」のみと一緒の任意の会合は、振動のみのアラートスタイルが自動的に割り当てられ、関連付けられる。さらに、ブロック１６９に示されているように、この選択された会合１５６は、週ごとに発生するので、ユーザは、スケジュールされた会合を再入力する必要はなく、それに関連したアラートスタイルを再入力する必要もない。オーバーライド領域１７２は、モバイル電話のユーザが、アラートスタイル領域１６１で選択されたアラートスタイルに対し、オーバーライドルールをセットすることを可能にする。図７に示されているように、「Ｒｏｓｅ」がコールすると、ソフトな着信音１が適用され得る。同様に、コンタクトグループ「顧客」に見出される任意の人がコールする場合、ソフトな着信音１が使用され得る。オーバーライドルールが代替的な方法で実装されること、ならびにいくつかのレベルの複雑さを含んでいることが、理解されるべきである。例えば、方法１５０は、デフォルトのアラートスタイルが変更されることをも可能にし得る。ユーザは、「Ｒｏｓｅ」または「顧客」の場合に、モバイルデバイスが直ちに可聴着信音を発するようにするよりも、最初に振動してその後に着信音を発するモードに、デフォルトのアラートスタイルを変更することを所望し得る。
【００２７】
図８を参照すると、アラートスタイルを選択して割り当てる別の方法が図示されている。方法１７５は、上述の方法１５０に類似しているので、詳細には議論されない。方法１５０と比較すると、方法１７５は、モバイル識別領域１７６を追加している。モバイル識別領域１７６は、選択されたアラートスタイルを適用するモバイルデバイスまたは複数のモバイルデバイスを、ユーザが選択することを可能にする。このことは、例えば、ユーザが複数の電話を所有しているときに、便利である。また、デスクトップコンピュータのユーザが、デスクトップコンピュータを使用して、そして無線または有線接続を介することにより、スケジュールオプションを定義および調整し、１つ以上のモバイル電話と同期化させることもまた、便利である。一例では、プロセス１７５は、デスクトップコンピュータ上で動作されるか、あるいは別のネットワークコンピューティングデバイス上で動作され得る。別の例において、プロセス１７５は、無線モバイルデバイス上で動作され得る。
【００２８】
本発明に関する特定の好適な実施形態と代替的な実施形態とが開示されてきたが、当業者には、上記で記載された技術の多くの様々な改変および拡張が、本明細書中に記載された教示を用いて実施され得ることが、明白である。そのような改変および拡張の全ては、添付の請求の範囲に開示されている、本発明の正しい精神および範囲に含まれることが、意図されている。
【図面の簡単な説明】
【００２９】
【図１】図１は、本発明にしたがう、無線通信デバイスのブロック図である。
【図２】図２は、本発明にしたがう、アラートを提供する方法の流れ図である。
【図３】図３は、本発明にしたがう、アラートを提供する方法の流れ図である。
【図４】図４は、本発明にしたがう、アラートを提供する方法の流れ図である。
【図５】図５は、本発明にしたがう、スケジューリングシステムの簡略表示である。
【図６】図６は、本発明にしたがう、スケジューリングシステムの簡略表示である。
【図７】図７は、本発明にしたがう、スケジューリングシステムの簡略表示である。
【図８】図８は、本発明にしたがう、スケジューリングシステムの簡略表示である。
【図１】
2008537455.tif 000003
【図２】
2008537455.tif 000004
【図３】
2008537455.tif 000005
【図４】
2008537455.tif 000006
【図５】
2008537455.tif 000007
【図６】
2008537455.tif 000008
【図７】
2008537455.tif 000009
【図８】
2008537455.tif 000010
【国際調査報告】
2008537455.tif 000011
2008537455.tif 000012